(57)【要約】【課題】ユーザが嗜好番組の重要場面を見落とさないように監視し、知らせる映像再生装置及び映像再生方法を提供することができる。【解決手段】それぞれが番組を入力可能な第１及び第２の入力手段と、前記第１の入力手段で入力された番組を画面に表示するために出力する出力手段と、前記第１の入力手段で入力された番組を監視し、前記第１の入力手段で入力された番組が切り替えられたとき、監視していた番組を前記第２の入力手段に入力させて監視を継続する監視手段と、前記監視手段により番組を監視していることを表示する表示手段と、前記監視手段の監視結果を通知する通知手段とを有する。【選択図】図１
2007151030.tif 000002
【特許請求の範囲】
【請求項１】
それぞれが番組を入力可能な第１及び第２の入力手段と、
前記第１の入力手段で入力された番組を画面に表示するために出力する出力手段と、
前記第１の入力手段で入力された番組を監視し、前記第１の入力手段で入力された番組が切り替えられたとき、監視していた番組を前記第２の入力手段に入力させて監視を継続する監視手段と、
前記監視手段により番組を監視していることを表示する表示手段と、
前記監視手段の監視結果を通知する通知手段とを具備することを特徴とする映像再生装置。
【請求項２】
前記監視手段は、前記第１の入力手段で入力された番組に対して監視を要求する操作が行われることに基づいて、その番組の監視を開始することを特徴とする請求項１記載の映像再生装置。
【請求項３】
前記監視手段は、前記第１の入力手段で入力された番組が予め指定されたジャンルに対応するとき、その番組の監視を開始することを特徴とする請求項１記載の映像再生装置。
【請求項４】
前記監視手段は、前記第１の入力手段により予め設定された一定時間以上入力が継続された番組に対して、監視を開始することを特徴とする請求項１記載の映像再生装置。
【請求項５】
前記監視手段は、監視している番組の信号変化に基づいてイベント検出を行うことを特徴とする請求項１記載の映像再生装置。
【請求項６】
前記通知手段は、前記監視手段によるイベント検出の確信度に応じて通知形態を変更することを特徴とする請求項５記載の映像再生装置。
【請求項７】
それぞれが番組を入力可能な第１及び第２の工程と、
前記第１の工程で入力された番組を画面に表示するために出力する第３の工程と、
前記第１の工程で入力された番組を監視し、前記第１の工程で入力された番組が切り替えられたとき、監視していた番組を前記第２の工程に入力させて監視を継続する第４の工程と、
番組を監視していることを表示する第５の工程と、
監視結果を通知する第６の工程とを備えることを特徴とする映像再生方法。
【請求項８】
前記第１の工程で入力された番組に対して監視を要求する操作が行われることに基づいて、その番組の監視を開始することを特徴とする請求項７記載の映像再生方法。
【請求項９】
前記第１の工程で入力された番組が予め指定されたジャンルに対応するとき、その番組の監視を開始することを特徴とする請求項７記載の映像再生方法。
【請求項１０】
前記第１の工程により予め設定された一定時間以上入力が継続された番組に対して、監視を開始することを特徴とする請求項７記載の映像再生方法。
【発明の詳細な説明】
【技術分野】
【０００１】
この発明は、番組視聴中に他の特定番組の監視を可能とした映像再生装置及び映像再生方法の改良に関する。
【背景技術】
【０００２】
周知のように、近年では、デジタル放送の普及に伴い、ユーザは数多くのチャンネルの選局が可能である。そのため、ユーザが同時刻に放送される複数の番組を視聴したいとき、１つの画面で複数の番組を同時に表示できる映像再生装置が有効である。
【０００３】
例えば、２番組を同時に視聴したいとき、一方を主画面として、画面全体に表示し、他方を画面の片隅に子画面として表示する映像再生装置が一般に普及している。この場合、出力される音声は、一方の画面、ここでは主画面に対応する音声が出力され、子画面に対応する音声は出力されない。
【０００４】
また、この種の映像再生装置にあっては、主画面で表示されている映像と子画面で表示されている映像とを、ユーザの操作によって任意に入れ替えることが可能である。さらに、主画面で表示されている映像と子画面で表示されている映像はそのままで、出力される音声を主画面に対応する音声から子画面に対応する音声へと任意に入れ替えることも可能である。
【０００５】
ところで、上記のような映像または音声の入れ替えは、ユーザの意志によって反映されるものであり、ユーザは、通常主画面に集中して視聴しているため、子画面で表示される映像を見落とす可能性が高い。また、主画面と子画面との両方にユーザが注意を払って視聴することは、ユーザの集中力が続かず、番組の内容理解に支障をきたす恐れが高い。
【０００６】
特許文献１には、第１及び第２のチューナを備え、第１のチューナの受信情報を主画面として表示するとともに、第２のチューナの受信情報を子画面として表示し、子画面側の音声情報を監視して出力する音声を切り替える構成が開示されている。
【０００７】
しかしながら、この特許文献１では、監視するチャンネルを具体的にどのように設定するかは述べられていない。
【特許文献１】特開２００３−２９８９７２公報
【発明の開示】
【発明が解決しようとする課題】
【０００８】
そこで、この発明は上記事情に基づいてなされたもので、ユーザにとっての取り扱いが便利で実用に適した番組監視を可能とする映像再生装置及び映像再生方法を提供することを目的とする。
【課題を解決するための手段】
【０００９】
この発明は上記の目的を達成するために、それぞれが番組を入力可能な第１及び第２の入力手段と、前記第１の入力手段で入力された番組を画面に表示するために出力する出力手段と、前記第１の入力手段で入力された番組を監視し、前記第１の入力手段で入力された番組が切り替えられたとき、監視していた番組を前記第２の入力手段に入力させて監視を継続する監視手段と、前記監視手段により番組を監視していることを表示する表示手段と、
前記監視手段の監視結果を通知する通知手段とを備える。
【発明の効果】
【００１０】
上記のような構成によれば、ユーザが嗜好番組の重要場面を見落とさないように監視し、知らせる映像再生装置及び映像再生方法を提供することができる。
【発明を実施するための最良の形態】
【００１１】
以下この発明の実施の形態について図面を参照して説明する。図１は、この実施の形態で説明する映像記録再生装置を示している。この映像記録再生装置は、情報記録媒体として、ＤＶＤ等の光ディスクとハードディスクとの双方を取り扱うことができる装置として示しているが、情報記録媒体としては、例えば半導体メモリ等に置換されてもよいものである。
【００１２】
図１において、各ブロックを大きく分けると、左側には記録部の主なブロックを示し、右側には再生部の主なブロックを示している。
【００１３】
図１に示す映像記録再生装置は、ディスクドライブ部１００２とＨＤＤ部２００１との２種類のディスクドライブを有する。まず、ディスクドライブ部１００２は、ビデオファイルを構築できる情報記録媒体である第１のメディアとしての光ディスク１００１を回転駆動し、情報の読み書きを実行する。ディスクドライブ部１００２は、光ディスク１００１に対する回転制御系、レーザ駆動系、光学系等を有する。また、ＨＤＤ部２００１は、第２のメディアとしてのハードディスクを駆動する。
【００１４】
データプロセッサ部１００３は、ディスクドライブ部１００２及びＨＤＤ部２００１に記録データを供給することができ、また、再生された信号を受け取ることができる。データプロセッサ部１００３は、記録または再生単位のデータを取り扱うもので、バッファ回路、変調・復調回路、エラー訂正部等を含む。
【００１５】
また、図１に示す映像記録再生装置は、録画側を構成するエンコーダ部５０と、再生側を構成するデコーダ部６０と、装置本体の動作を制御するマイクロコンピュータブロック３０とを主たる構成要素としている。
【００１６】
エンコーダ部５０は、基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含んでいる。
【００１７】
エンコーダ部５０からのエンコード出力は、バッファメモリ５２を含むフォーマッタ５１にて所定のＤＶＤ−ＲＡＭ（random access memory）のフォーマットに変換され、先のデータプロセッサ部１００３に供給される。なお、トランスポートストリームから抽出したパケットエレメンタリーストリームが、エンコーダ部５０から直接ＨＤＤ部２００１のハードディスクに記録される場合もある。
【００１８】
エンコーダ部５０には、スイッチ５３を介して、Ａ／Ｖ（audio／video）入力部４０から得られる外部アナログビデオ信号と外部アナログオーディオ信号とを入力することができる。
【００１９】
また、エンコーダ部５０には、スイッチ５３を介して、チューナ部１  ４１とチューナ部２  ４２が接続されており、チューナ部１  ４１は、地上波アナログチューナ１  ４１ａ、地上波デジタルチューナ１  ４１ｂで構成されている。チューナ部２  ４２は、地上波アナログチューナ２  ４２ａ、地上波デジタルチューナ２  ４２ｂで構成されている。
【００２０】
エンコーダ部  ５０は、チューナ部１  ４１に含まれる地上波アナログチューナ１  ４１ａ、地上波デジタルチューナ１  ４１ｂからの受信信号を選択的に入力してエンコードすることができる。また、エンコーダ部  ５０は、チューナ部２  ４２に含まれる地上波アナログチューナ２  ４２ａ、地上波デジタルチューナ２  ４２ｂからの受信信号を選択的に入力してエンコードすることができる。つまり、エンコーダ部５０は、チューナ部１とチューナ部２のそれぞれ１つのチューナから同時に映像を入力し、エンコード処理することができる。
【００２１】
なお、エンコーダ部５０は、圧縮されたデジタルビデオ信号やデジタルオーディオ信号が直接入力されるときは、圧縮デジタルビデオ信号やデジタルオーディオ信号を直接フォーマッタ５１に供給することもできる。また、エンコーダ部５０は、アナログデジタル変換されたデジタルビデオ信号やオーディオ信号を、ビデオミキシング部７１やオーディオセレクタ７６に直接供給することもできる。
【００２２】
エンコーダ部５０に含まれるＭＰＥＧ（moving picture experts group）ビデオエンコーダでは、デジタルビデオ信号はＭＰＥＧ２またはＭＰＥＧ１規格に基づいた可変ビットレートで圧縮されたデジタルビデオ信号に変換される。
【００２３】
デジタルオーディオ信号は、ＭＰＥＧまたはＡＣ（audio compression）−３規格に基づいて固定ビットレートで圧縮されたデジタルオーディオ信号、あるいはリニアＰＣＭ（pulse code modulation）のデジタルオーディオ信号に変換される。
【００２４】
副映像信号がＡ／Ｖ入力部４１ａから入力された場合（例えば副映像信号の独立出力端子付ＤＶＤビデオプレーヤからの信号等）、または、このようなデータ構成のＤＶＤビデオ信号が放送されて、それが図示しないＴＶ（television）チューナ部で受信された場合は、ＤＶＤビデオ信号中の副映像信号が副映像エンコーダでエンコード（ランレングス符号化）されて副映像のビットマップとなる。
【００２５】
エンコードされたデジタルビデオ信号、デジタルオーディオ信号、副映像データは、フォーマッタ５１にてパック化され、ビデオパック、オーディオパック、副映像パックとなり、さらに、これらが集合されて、ＤＶＤ−ビデオ規格で規定されたフォーマット（ＤＶＤ Ｖｉｄｅｏフォーマット）や、ＤＶＤ−レコーディング規格で規定されたフォーマット（ＤＶＤ ＶＲフォーマット）に変換される。フォーマッタ５１は、上記の変換処理のときに、バッファメモリ５２も利用している。
【００２６】
図１に示す映像記録再生装置は、フォーマッタ５１でフォーマット化された情報（ビデオ、オーディオ、副映像データ等のパック）及び作成された管理情報を、データプロセッサ部１００３を介してＨＤＤ部２００１またはディスクドライブ部１００２に供給し、ハードディスクまたは光ディスク１００１に記録することができる。
【００２７】
また、ハードディスクまたは光ディスク１００１に記録された情報を、データプロセッサ部１００３、ディスクドライブ部１００２を介して光ディスク１００１またはハードディスクに記録することもできる。
【００２８】
さらに、ハードディスクまたは光ディスク１００１に記録されている複数番組のビデオオブジェクトを、一部削除したり、異なる番組のオブジェクトをつなげたり、といった編集処理を行なうこともできる。
【００２９】
マイクロコンピュータブロック３０は、ＭＰＵ（micro processor unit）またはＣＰＵ（central processing unit）と、制御プログラム等が書きこまれたＲＯＭ（read only memory）と、プログラム実行に必要なワークエリアを提供するためのＲＡＭとを含んでいる。
【００３０】
マイクロコンピュータブロック３０の実行結果のうち、ユーザに通知すべき内容は、記録再生装置の表示部４３に表示されるか、または、モニターディスプレイ３００２にＯＳＤ（on screen display）表示される。
【００３１】
また、マイクロコンピュータブロック３０は、この映像記録再生装置を操作するための操作信号を与えるキー操作入力部４４を有する。このキー操作入力部４４は、例えば映像記録再生装置の本体上に設けた操作スイッチ類や、後述するリモートコントローラ２０等に相当する。また、映像記録再生装置と有線通信または無線通信（光通信や赤外線通信等を含む）等の手段を用いて接続されたＰＣ（personal computer）であってもよい。いずれの形態であっても、ユーザがこのキー操作入力部４４を操作することにより、入力された映像音声信号の録画処理や、録画されたコンテンツの再生処理、または録画されたコンテンツに対する編集処理等を施すことができる。
【００３２】
なお、マイクロコンピュータブロック３０が、ディスクドライブ部１００２、ＨＤＤ部２００１、データプロセッサ部１００３、エンコーダ部５０及び／またはデコーダ部６０等を制御するタイミングは、ＳＴＣ（system time clock）３８からの時間データに基づいて実行することができる。録画や再生の動作は、通常はＳＴＣ３８からのタイムクロックに同期して実行されるが、それ以外の処理はＳＴＣ３８とは独立したタイミングで実行されてもよい。
【００３３】
デコーダ部６０は、チューナ部４１、４２から出力される受信信号に対してそれぞれデコード処理を行うことができる。これにより、例えば、地上波アナログチューナ１  ４１ａで受信した番組をモニタ３００２において主画面で表示し、同時に、地上波アナログチューナ２  ４２ａで受信した番組をモニタ３００２において子画面で表示することが可能である。主画面と子画面は、ユーザの指示によって、画面切替合成部３００１で切り替えられる。なお、映像の受信は、チューナ部１  ４１のチューナを優先的に使用する。
【００３４】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶ（video）デコーダと、セパレータで分離された副映像データ（副映像パックの内容）をデコードするＳＰ（sub picture）デコーダと、セパレータで分離されたオーディオデータ（オーディオパックの内容）をデコードするＡ（audio）デコーダとを有する。また、デコードされた主映像にデコードされた副映像を適宜合成し、主映像にメニュー、ハイライトボタン、字幕やその他の副映像を重ねて出力するビデオプロセッサを備えている。
【００３５】
デコーダ部６０の出力ビデオ信号は、ビデオミキシング部７１に入力される。ビデオミキシング部７１では、例えばテキストデータの合成が行なわれる。また、ビデオミキシング部７１には、上記ＴＶチューナ部やＡ／Ｖ入力部４０からの信号を直接取り込むラインも接続されている。ビデオミキシング部７１には、バッファとして用いるフレームメモリ部７２が接続されている。ビデオミキシング部７１の出力がアナログ出力の場合はＩ／Ｆ７３を介して外部出力され、デジタル出力の場合はデジタルアナログ変換器７４を介して外部へ出力される。
【００３６】
デコーダ部６０の出力オーディオ信号は、オーディオセレクタ７６を介してデジタルアナログ変換器７７でアナログ変換され外部に出力される。オーディオセレクタ７６は、マイクロコンピュータブロック３０からのセレクト信号により制御される。これにより、オーディオセレクタ７６は、上記ＴＶチューナ部やＡ／Ｖ入力部４１aからのデジタル信号を直接モニタするとき、エンコーダ部５０をスルーしたオーディオ信号を直接選択することも可能である。
【００３７】
なお、エンコーダ部５０のフォーマッタ５１では、録画中、各切り分け情報を作成し、定期的にマイクロコンピュータブロック３０のＭＰＵへ送る［ＧＯＰ（group of picture）先頭割り込み時等の情報］。切り分け情報としては、ＶＯＢＵ（video object unit）のパック数、ＶＯＢＵ先頭からのI（intra）ピクチャのエンドアドレス、ＶＯＢＵの再生時間等である。
【００３８】
同時に、図示しないアスペクト情報処理部からの情報が録画開始時にＭＰＵに送られ、ＭＰＵはＶＯＢ（video object）ストリーム情報（ＳＴＩ：stream information）を作成する。ここでＳＴＩは、解像度データ、アスペクトデータ等を保存し、再生時に、各デコーダ部ではこの情報を元に初期設定が行なわれる。
【００３９】
また、この映像記録再生装置では、ＤＶＤに記録するビデオファイルは１ディスクに１ファイルとしている。さらに、データをアクセス（シーク）している間に、途切れないで再生を続けるために、最低限連続する情報単位（サイズ）を決めている。この単位は、ＣＤＡ（contiguous data area）と称される。ＣＤＡサイズは、ＥＣＣ（error correcting code）ブロック（１６セクタ）の倍数であり、ファイルシステムではこのＣＤＡ単位で記録を行なっている。
【００４０】
データプロセッサ部１００３は、エンコーダ部５０のフォーマッタ５１からＶＯＢＵ単位のデータを受け取り、ＣＤＡ単位のデータをディスクドライブ部１００２あるいはＨＤＤ部２００１に供給している。
【００４１】
また、マイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報が光ディスク１００１またはハードディスクに記録される。このため、エンコードが行なわれているとき、マイクロコンピュータブロック３０のＭＰＵは、エンコーダ部５０からデータ単位の情報（切り分け情報等など）を受け取る。
【００４２】
さらに、マイクロコンピュータブロック３０のＭＰＵは、記録開始時に、光ディスク１００１及びハードディスクから読み取った管理情報（ファイルシステム）を認識して、各ディスクの未記録エリアを認識することにより、データプロセッサ部１００３を介してデータの記録エリアをディスクに設定している。
【００４３】
図２には、上記リモートコントローラ２０の外観を示している。主な操作キーを説明すると、符号２０ａは、電源をオンオフするための電源キーであり、符号２０ｂはメニューキーであり、２０ＣＨは、第２のチューナで受信した番組を監視させる監視キーであり、２０ＢＡは、監視されている番組を主画面で視聴できるように戻すための戻るキーである。
【００４４】
さらに、符号２０ＤＥは、決定キーであり、符号２０ＵＰ，２０ＤＷ，２０Ｒ，２０Ｌは、画面に表示されたカーソルをそれぞれ上、下、右、左に移動させるためのカーソル操作キーである。
【００４５】
ここで、マイクロコンピュータブロック３０は、チャンネル制御部３２、イベント検出部３３、ＥＰＧ情報取得部３４を含んでいる。
【００４６】
ユーザがキー操作入力部４４のチャンネル指定キーを用いて、視聴したい番組をセットすると、チャンネル制御部３２は、チューナ部１  ４１に含まれるチューナの出力から番組を得る。また、ユーザが選局し番組がモニタ３００２に映し出された状態で、キー操作入力部４４で監視キー２０ＣＨを入力すると、チャンネル制御部３２は起動し、映し出されたチャンネルを監視する。そのとき、図３に示すように、監視状態であることを示すアイコンを映像にオーバーレイ表示させる。
【００４７】
この状態でユーザが、キー操作入力部４４のチャンネル指定キーを用いて、チャンネルを変更すると、チャンネル制御部３２は、監視状態であった番組を、チューナ部２  ４２のチューナの出力から受信するように切り換える。そして、変更したチャンネルに対応する番組の信号をチューナ部１  ４１のチューナの出力から受信するようにする。
【００４８】
このとき、イベント検出部３３は稼動状態に切り替えられ、監視状態の映像の音声レベルを検出する。イベント検出部３３は、音声レベルが一定値を超える番組では、例えば歓声からスポーツなどの重要場面であるイベントの発生と判断し、また、モノラル・ステレオ・二ヶ国語といった音声モードの切り替え地点はＣＭと番組の境界であり、イベントの発生と判断する。
【００４９】
そして、画面合成部３００１では、チューナ部１  ４１のチューナの出力から受信した番組を映し出し、他のチャンネルを監視している旨を知らせるアイコンのオーバーレイ表示が合成される。図４には、画面合成部３００１で、オーバーレイ表示させるアイコンの例を示す。図４（ａ）は、モニタ３００２で監視状態に設定された番組が表示された時のアイコンの表示例である。図４（ｂ）は、モニタ３００２で監視状態に設定した番組以外が表示された時のアイコンの表示例である。このとき、監視されている番組のチャンネル番号が一目でわかるように表示される。
【００５０】
監視状態であるチューナ部２  ４２のチューナからの出力から、イベント検出部３３がイベントを検出した時、チャンネル制御部３２は、チューナ部２  ４２のチューナからの出力を子画面として、主画面として表示されているチューナ部１  ４１のチューナからの出力に重ね合わせて表示する。なお、イベント検出時における子画面の表示では、効果音や子画面の動きを付与しても良い。
【００５１】
子画面が表示された段階で、ユーザがキー操作入力部４４の戻るキー２０ＢＡを選択すると、チャンネル制御部３２は、チューナ部２  ４２のチューナから出力される監視中であった番組をチューナ部１  ４１のチューナから出力するように切替設定し、チューナ部１  ４１のチューナからの出力のみを表示する。
【００５２】
このとき、図示しない遅延再生機構（追っかけ再生またはタイムスリップ）によって、画面が切り替わった際に、イベントが生じた時点から再生しても良い。
【００５３】
イベント検出時において、子画面が表示されて一定時間経っても、ユーザによる操作がなされなければ、画面切替合成部３００１は、画面を切り替えずに、チューナ部１  ４１のチューナで出力された番組のみを表示する。
【００５４】
この実施の形態の映像再生装置における裏番組の監視を図５に示すフローチャートを用いて説明する。
【００５５】
ユーザは、映像再生装置の電源をＯＮ状態にし（ステップＳ１００）、所望の番組のチャンネルをリモコンを介して入力する（ステップＳ１０１）。リモコンコードが「チャンネル指定」の場合（ステップＳ１０２）、チューナ部１  ４１のチャンネルを指定されたチャンネルに変更する（ステップＳ１０３）。
【００５６】
そして、次のリモコンコードの指示を待つ（ステップＳ１０２）。リモコンコードが「監視」だった場合（ステップＳ１０２）、チューナ部１  ４１のチャンネルの出力を監視チャンネルとして設定する（ステップＳ１０４）。モニタ３００２では、チューナ部１  ４１の出力の番組を主画面で表示し、チューナ部１  ４１のチャンネルの出力が監視チャンネルであることを示す監視中アイコンを表示する（ステップＳ１０５）。
【００５７】
さらにリモコンコードが入力され（ステップＳ１０６）、入力されたリモコンコードが「チャンネル指定」だった場合（ステップＳ１０７）、先に設定された監視チャンネルをチューナ部２  ４２に設定する（ステップＳ１０８）。そして、ステップＳ１０７で新たに設定されたチャンネルをチューナ部１  ４１に変更し（ステップＳ１０９）、次のリモコンコードの入力を待つ（ステップＳ１０７）。
【００５８】
入力されたリモコンコードが「戻る」だった場合（ステップＳ１０７）、監視チャンネルとして設定されたチャンネルをチューナ部１  ４１に設定し（ステップＳ１１０）、モニタ３００２では、チューナ部１  ４１の出力を主画面として表示する（ステップＳ１１１）。次のリモコンコードの入力を待つ（ステップＳ１０７）。
【００５９】
また、監視チャンネルが設定されている場合に、イベント検出部３３が、イベントを検出すると（ステップＳ１１２）、監視チャンネルとして設定されているチューナ部２  ４２の出力を子画面として、モニタ３００２上でオーバーレイ表示し（ステップＳ１１３）、割り込みを終了する（ステップＳ１１４）。
【００６０】
また、ステップＳ１１２で、イベント検出部３３によるイベントの検出に尤度がある場合、ユーザへの提示方法を変化させることも可能である。イベントが音声レベルによって判断される場合、尤度に合わせて表示を変える。尤度の大きさに合わせて主画面にオーバーレイ表示する子画面の大きさを変化させても良いし、尤度が小さければ、子画面の表示ではなく、画面の隅に、ユーザが気づく程度に、例えば図３に示すアイコンもしくは文字の点滅で表示しても良い。
【００６１】
さらに、ステップＳ１１２で、イベント検出部３３によるイベントの検出の確信度に応じてユーザへの提示方法を変えることもできる。例えば、放送局から送られてくるデータやＣＭ検出に基づいた確度の高いイベント検出では、ユーザの選択にかかわらず直接チャンネルを切り替えても良い。また、一定時間ユーザによる操作がないときも、チャンネルを切り替えても良い。
【００６２】
そして、検出されるイベントの対象に応じて、表示するアイコンの色、子画面の枠の色、検出中である旨を知らせる効果音を変えても良い。
【００６３】
また、監視状態に設定されるチャンネルは、ユーザによる監視キー２０ＣＨの設定によって決定されていたが、自動的に監視対象を設定することもできる。例えば、デジタル放送のＳＩ情報から受信番組のジャンルを取得するＥＰＧ情報取得部３４を用いることで、現在視聴中の番組のジャンルを取得し、そのジャンルが予め定められたジャンルの場合、もしくは、ユーザが設定したジャンルの場合は、自動的に監視対象に設定できる。アナログ放送の場合は、現在視聴中の番組のジャンルをインターネットサイトから取得することができる。
【００６４】
さらに、ユーザによる現在視聴している番組の視聴時間が、予め定められた時間以上経過した場合も監視対象として設定しても良い。
【００６５】
また、上記の組み合わせも可能である。
【００６６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６７】
【図１】この発明の実施の形態を示すもので、映像再生装置の構成を説明するために示す図。
【図２】この発明の実施の形態を示すもので、映像再生装置に用いられる入力部の構成を説明するために示す図。
【図３】同実施の形態における映像再生装置に表示される監視中アイコンの説明するために示す図。
【図４】同実施の形態における映像再生装置に表示される監視中アイコンの説明するために示す図。
【図５】同実施の形態の映像再生装置における裏番組の監視を説明するために示すフローチャート。
【符号の説明】
【００６８】
２０…リモートコントローラ、２０ａ…電源キー、２０ｂ…メニューキー、２０ＣＨ…監視キー、２０ＢＡ…戻るキー、２０ＤＥ…決定キー、３０…マイクロコンピュータブロック、３０ａ…ネットワークＩ／Ｆ、３１…ワークＲＡＭ、３２…チャンネル制御部、３３…イベント検出部、３４…ＥＰＧ情報取得部、３８…ＳＴＣ、４０…Ａ／Ｖ入力部、４１…チューナ部１、４１ａ…地上波アナログチューナ１、４１ｂ…地上波デジタルチューナ１、４２…チューナ部２、４２ａ…地上波アナログチューナ２、４２ｂ…地上波デジタルチューナ２、４３…表示部、４４…キー操作入力部、５０…エンコーダ部、５１…フォーマッタ、５２…バッファメモリ、５３…スイッチ、６０…デコーダ部、７１…ビデオミキシング部、７２…フレームメモリ部、７３…Ｉ／Ｆ、７４…デジタルアナログ変換器、７６…オーディオセレクタ、７７…デジタルアナログ変換器、１００１…光ディスク、１００２…ディスクドライブ部、１００３…データプロセッサ部、２００１…ＨＤＤ部、３００１…画面切替合成部、３００２…モニタ。
【図１】
2007151030.tif 000003
【図２】
2007151030.tif 000004
【図３】
2007151030.tif 000005
【図４】
2007151030.tif 000006
【図５】
2007151030.tif 000007